(57)【要約】      （修正有）【課題】組み立てが不要となる人型玩具の外観部品及び人型玩具を提供する。【解決手段】外観部品３０は、湾曲可能、かつ、任意形状を維持可能な芯材３２を有するので、任意の形状をとることができる。また、外観部品３０は、芯材３２の側面を覆う被覆部３３を有するので、設定された環境に対応した外観を設定することができる。この被覆部３３は、周面３４の周方向に沿う溝部３５が軸方向に沿って所定間隔で多数形成されているので、芯材３２を屈曲させたときに、被覆部３３が追従でき、外観部品３０が容易に任意の形状をとることができる。また、被覆部３３が熱可塑性樹脂製であるため、加熱してプレスする金型装置を用いて、容易に製造することができる。このとき、既存のリード線を用いることにより、組立が不要になるとともに製造コストの低減化を図ることができる。【選択図】図２
2017143938.tif 000002
【特許請求の範囲】
【請求項１】
人型玩具に関連して用いられ、任意形状を維持可能な人型玩具の外観部品であって、
所定長さを有するとともに任意形状に湾曲可能、かつ、前記任意形状を維持可能な芯材と、
前記芯材の側面を覆う略円筒形状の周面を有する被覆部と、を備え、
前記被覆部は、前記周面の周方向に沿う溝部が軸方向に沿って所定間隔で多数形成されている人型玩具の外観部品。
【請求項２】
請求項１記載の人型玩具の外観部品であって、
前記被覆部は、熱可塑性樹脂製である人型玩具の外観部品。
【請求項３】
請求項１記載の人型玩具の外観部品であって、
前記芯材は、金属製である人型玩具の外観部品。
【請求項４】
請求項１乃至請求項３記載の人型玩具の外観部品が付属する人型玩具。
【発明の詳細な説明】
【技術分野】
【０００１】
本発明は、人型玩具の外観部品及び人型玩具に関する。
【背景技術】
【０００２】
従来、各関節部を屈曲自在とし、且つ屈曲状態での姿勢を維持可能とした人型玩具が開発されており、遊戯者は自由にその頭部、腕部、脚部などを動かして、人形に様々な姿勢をとらせて楽しむことができる。
このような人型玩具では、人型玩具の内部に、屈曲状態での姿勢を保持可能とする姿勢保持体を設けている。
【０００３】
また、人型玩具に付随して、人型玩具が設定されている雰囲気を醸し出すための例えばホースや鞭等の線状の外観部品も、屈曲自在とし、且つ屈曲状態での姿勢を保持可能とすることが考えられている。
例えば、このような外観部品の製造方法としては、環状の一次成形物の空洞に第２の成形樹脂材料を流入して軸上の二次成形物を成形して製造するものがある（特許文献１参照）。
【先行技術文献】
【特許文献】
【０００４】
【特許文献１】特開２００６−３０５９３１号公報
【発明の概要】
【発明が解決しようとする課題】
【０００５】
しかしながら、屈曲可能な線状の外観部品には、より簡易な構造や簡易な製造方法が求められていた。また、屈曲状態での姿勢を保持可能とする線状の外観部品が求められていた。
【０００６】
本発明は、上述した事情に鑑みなされたものであり、比較的簡易な装置で製造でき、屈曲可能かつ屈曲状態での姿勢を保持可能な線状の人型玩具の外観部品及び人型玩具を提供することを目的とする。
【課題を解決するための手段】
【０００７】
本発明に係る人型玩具の外観部品は、人型玩具に関連して用いられ、任意形状を維持可能な人型玩具の外観部品であって、所定長さを有するとともに任意形状に湾曲可能、かつ、前記任意形状を維持可能な芯材と、前記芯材の側面を覆う略円筒形状の周面を有する被覆部と、を備え、前記被覆部は、前記周面の周方向に沿う溝部が軸方向に沿って所定間隔で多数形成されていることを特徴とする。
【０００８】
また、本発明に係る人型玩具の外観部品においては、前記被覆部は、熱可塑性樹脂製であってもよい。
【０００９】
また、本発明に係る人型玩具の外観部品においては、前記芯材は、金属製であってもよい。
【００１０】
また、本発明に係る人型玩具は、上記人型玩具の外観部品が付属する人型玩具であってもよい。
【発明の効果】
【００１１】
本発明によれば、比較的簡易な装置で製造でき、屈曲可能かつ屈曲状態での姿勢を保持可能な線状の外観部品及び人型玩具を提供することができる。
【図面の簡単な説明】
【００１２】
【図１】本発明の実施形態である人型玩具の外観部品及び人型玩具の一例を示す斜視図である。
【図２】（Ａ）は本発明の実施形態である人型玩具の外観部品としての鞭の一部破断の正面図であり、（Ｂ）は鞭の拡大図であり、（Ｃ）は（Ｂ）におけるＣ−Ｃ位置の断面図である。
【図３】（Ａ）は本発明の実施形態である人型玩具の外観部品としての鞭の製造を示す斜視図であり、（Ｂ）は（Ａ）中Ｂ−Ｂ位置の断面図である。
【図４】図３中ＩＶ部分の金型の拡大図である。
【発明を実施するための形態】
【００１３】
［本発明の実施の形態］
図１は、本発明の実施形態を説明するための、人型玩具の外観部品及び人型玩具の全体構成を示す斜視図である。
【００１４】
図１に示す人型玩具１０は、胴体部１２を有しており、胴体部１２の上側には頭部１１を有する。胴体部１２の下側には、腰部１３を介して大腿部１４、脚部１５、足部１６を有する。また、胴体部１２の左右肩部には、各々上腕部１７と下腕部１８を有し、下腕部１８の先端には手１９を有する。
【００１５】
頭部１１は、胴体部１２に対して前後左右に回転可能且つ軸周りに所定角度旋回可能に連結されるとともに、変移した姿勢を保持可能に連結されている。
大腿部１４は、胴体部１２に対して前後左右に回転可能に連結されるとともに、変移した姿勢を保持可能に連結されている。脚部１５は大腿部１４に対して、また、足部１６は脚部１５に対して同様に連結されている。
【００１６】
さらに、上腕部１７は胴体部１２に対して前後左右に回転可能に連結されるとともに、変移した姿勢を保持可能に連結されている。下腕部１８は上腕部１７に対して、また、手１９は下腕部１８に対して同様に連結されている。
なお、上述した人型玩具１０の関節構造は、すでに知られているものを用いることができる。
【００１７】
人型玩具１０の手１９には、人型玩具１０に付属する外観部品３０としての鞭３１の端部が握られている。鞭３１は細長い線状の部品であり、任意に屈曲してその屈曲状態を保持できるようになっている。
【００１８】
図２（Ａ）に示すように、鞭３１は、芯材３２と、芯材３２を覆う被覆部３３とを有する。芯材３２は、任意形状に屈曲可能かつ屈曲した状態を保持可能な例えば銅線等の柔軟な金属からなる。被覆部３３は、芯材３２の側面を覆う略円筒形状の周面３４を有する熱可塑性樹脂等の絶縁体からなる。すなわち、鞭３１は、従来より一般的で入手容易なリード線（導線）で構成することができる。
【００１９】
図２（Ｂ）及び図２（Ｃ）に示すように、被覆部３３は、周面３４の周方向に沿って溝部３５が設けられており、溝部３５は、軸方向に沿って所定間隔で多数形成されている。ここでは、溝部３５は、略半周に伸びる２個の凹部３６を、連結部３７を挟んで同周上に配置することにより形成されているが、連結部３７は無くてもよい。あるいは、全周にわたって一続きの凹部３６を形成することもできる。この場合には、連結部３７は１個か、あるいは設けられない場合もある。
【００２０】
図３は、鞭３１の製造を示す斜視図であり、図４は、図３中ＩＶ部分の金型の拡大図である。
図３に示すように、鞭３１は、リード線４１を材料として、金型装置４０で熱プレス加工して製造する。金型装置４０は、加熱機能及びプレス機能を有するいわゆるヒータープレスを用いることができる。
【００２１】
図４に示すように、金型装置４０は、上金型４２及び下金型４３を有しており、両金型のキャビティ面には、各々半円の凹部４２１、４３１が長手方向の全長にわたって設けられている。
従って、上金型４２及び下金型４３を合わせると、両凹部４２１、４３１によって円形の貫通孔（加工面）が形成される。
【００２２】
各凹部４２１、４３１の内面には、各々山型の突起４２２、４３２が周方向に設けられており、突起４２２、４３２の周方向両端部には、各々テーパ部４２３、４３３が設けられている。従って、上金型４２及び下金型４３を合わせると、両突起４２２、４３２が周方向に連続する。但し、両突起４２２、４３２の境界には、テーパ部４２３、４３３が対向して位置する。
なお、突起４２２、４３２は、所定間隔で凹部４２１、４３１の長手方向に複数設けられている。
【００２３】
従って、外観部品３０を製造する際には、予め上金型４２及び下金型４３を加熱しておき、上金型４２と下金型４３とを開き、下金型４３の凹部４３１にリード線４１を配置する。この状態で上金型４２と下金型４３を閉じてリード線４１を挟み、上金型４２及び下金型４３でリード線４１の被覆４１１を被覆４１１の熱変形温度まで加熱する。被覆４１１の熱変形温度はリード線４１の芯材３２の融点より低いため、芯材３３はそのままで熱可塑性樹脂の被覆４１１のみが溶融し、熱プレス加工される。
【００２４】
これにより、被覆部３３に溝部３５が形成されて、外観部品３０が形成されるので、上金型４２と下金型４３とを開き、リード線４１を長手方向に移動させて、同様の熱プレス加工を繰り返す。
なお、テーパ部４２３、４３３が対向する位置には、連結部３７が形成される（図２（Ｂ）参照）。連結部３７は上金型４２と下金型４３のパーティング面上にあり、上金型４２と下金型４３でプレス加工された際の外観上のズレや、プレスされはみ出る体積を吸収する。連結部３７はなくても良い。
【００２５】
次に、本実施形態に係る人型玩具の外観部品及び人型玩具の作用、効果について説明する。
本実施形態に係る人型玩具の外観部品３０である鞭３１は、所定長さを有するとともに任意形状に湾曲可能、かつ、任意形状を維持可能な芯材３２を有するので、任意の形状をとることができる。また、鞭３１は、芯材３２の側面を覆う被覆部３３を有するので、設定された環境に対応した外観を設定することができる。この被覆部３３は、周面３４の周方向に沿う溝部３５が軸方向に沿って所定間隔で多数形成されているので、芯材３２を屈曲させたときに、被覆部３３が追従でき、外観部品３０が容易に任意の形状をとることができる。また、芯材３２は塑性変形が可能な柔軟な金属からなり、芯材３２が塑性変形することにより、屈曲状態での姿勢を保持することが可能となる。
【００２６】
また、本実施形態に係る人型玩具の外観部品３０（鞭３１）では、被覆部３３が熱可塑性樹脂製であるため、加熱してプレスする金型装置４０を用いて、容易に製造することができる。
このとき、既存のリード線４１を用いることができるので、組立が不要になるとともに製造コストの低減化を図ることができる。
【００２７】
また、本発明に係る人型玩具１０では、上述した外観部品３０（鞭３１）が付属する。
このため、人型玩具１０に付属する鞭３１を任意の形状とすることができ、人型玩具１０の姿勢に対応した任意の形状をとることができるので、場面に応じた雰囲気を出すことができる。
【００２８】
本発明の人型玩具の外観部品及び人型玩具は、前述した実施形態に限定されるものでなく、適宜な変形，改良等が可能である。
例えば、前述した実施形態においては、外観部品３０として鞭３１を用いる場合を例示したが、蛇腹ホース状の外観部品等のその他の部品であってもよい。
【００２９】
また、前述した実施形態においては、半円形の凹部４２１、４３１を有する上金型４２及び下金型４３を用いて、円形断面を有する鞭３１を製造したが、凹部４２１、４３１の形状や間隔を変えることにより、外観部品３０の断面形状を変えることができる。
【符号の説明】
【００３０】
１０  人型玩具
３０  外観部品
３２  芯材
３３  被覆部
３４  周面
３５  溝部
【図１】
2017143938.tif 000003
【図２】
2017143938.tif 000004
【図３】
2017143938.tif 000005
【図４】
2017143938.tif 000006
【手続補正書】
【提出日】平成29年1月6日(2017.1.6)
【手続補正１】
【補正対象書類名】特許請求の範囲
【補正対象項目名】請求項１
【補正方法】変更
【補正の内容】
【請求項１】
人型玩具に関連して用いられ、任意形状を維持可能な人型玩具の外観部品であって、
所定長さを有するとともに任意形状に湾曲可能、かつ、前記任意形状を維持可能な芯材と、
前記芯材の側面を覆う略円筒形状の周面を有する被覆部と、を備えたリード線からなり、
前記被覆部は、前記周面の周方向に沿う溝部が軸方向に沿って所定間隔で多数形成され、多数の前記溝は、前記リード線をプレス加工することで形成されている人型玩具の外観部品。
【手続補正２】
【補正対象書類名】特許請求の範囲
【補正対象項目名】請求項４
【補正方法】変更
【補正の内容】
【請求項４】
請求項１乃至請求項３のいずれか一項に記載の人型玩具の外観部品が付属する人型玩具。
【手続補正３】
【補正対象書類名】明細書
【補正対象項目名】０００７
【補正方法】変更
【補正の内容】
【０００７】
本発明に係る人型玩具の外観部品は、人型玩具に関連して用いられ、任意形状を維持可能な人型玩具の外観部品であって、所定長さを有するとともに任意形状に湾曲可能、かつ、前記任意形状を維持可能な芯材と、前記芯材の側面を覆う略円筒形状の周面を有する被覆部と、を備え、前記被覆部は、前記周面の周方向に沿う溝部が軸方向に沿って所定間隔で多数形成されていることを特徴とする。また、本発明に係る人型玩具の外観部品は、人型玩具に関連して用いられ、任意形状を維持可能な人型玩具の外観部品であって、所定長さを有するとともに任意形状に湾曲可能、かつ、前記任意形状を維持可能な芯材と、前記芯材の側面を覆う略円筒形状の周面を有する被覆部と、を備えたリード線からなり、前記被覆部は、前記周面の周方向に沿う溝部が軸方向に沿って所定間隔で多数形成され、多数の前記溝は、前記リード線をプレス加工することで形成されていることを特徴とする。